(57)【特許請求の範囲】
【請求項１】
日付機構（１００）に含まれる万年レバー（２）の旋回移動を一日に一回、作動させるように配置されたムーブメント（２００）を備えた時計（１０００）用日付機構（１００）であって、前記機構（１００）は、各月の継続時間によって異なる径寸法の連続した月用の１２個のセクタを含み、一年に１回転を完了する万年１２カム（９）を駆動する手段を備えている日付機構であって、前記機構（１００）は単一のこはぜを有し、前記万年レバー（２）にヒンジ付けされ、日付表示手段（４１２）を直接的または間接的に制御する第１の３１ねじカム（４）の旋回軸（Ｄ）周りで一体的に旋回する３１角穴車（３１）に含まれる歯と直接的に協働するように配置された単一のこはぜつめ（１）と、現在の月および月の現在の日にしたがって前記こはぜつめ（１）と前記３１角穴車（３１）の間の協働の継続期間を調節し、作動される前記３１角穴車（３１）の歯の数を毎日判断するように配置されたカウントダウン機構（３００）の位置を判断する第２のカム（２９）とを備えており、前記カウントダウン機構（３００）は、前記万年１２カム（９）上の現在の月の継続期間を測定し、中に含まれる第１のピン（６）の位置によって、前記こはぜつめ（１）のビーク（５１）と前記３１角穴車（３１）の間の協働を許可する、制限するまたは防ぎ、
前記第２のカム（２９）は径方向３１つめ（２９Ａ）を備えており、前記カウントダウン機構（３００）は、前記万年１２カム（９）上で現在の月の継続期間を測定し、前記３１角穴車（３１）の前記旋回軸（Ｄ）の側では前記第２のカム（２９）と、前記軸（Ｄ）と反対側では、その位置にしたがって、前記３１角穴車（３１）との前記こはぜつめ（１）の前記ビーク（５１）の協働を許可する、制限する、または防ぐように配置された第２のアーム（６７）を備えた第２のアイソレータ（７）の第１のアーム（７７）と協働するように配置された前記第１のピン（６）を担持するために、フィーラ・スピンドル・フィンガ（５３）を備えた第１のアイソレータ（３）を備え、
前記こはぜつめ（１）は、一方では、前記つめが前記万年レバー（２）上にヒンジ付けされる旋回軸（６２）と、もう一方では、前記ビーク（５１）の間で屈曲され、前記こはぜつめ（１）は、前記屈曲部に実質的に配置された状態で、突出ピン（６１）を備えており、前記第２のアイソレータ（７）の前記第２のアーム（６７）は、前記第２のアイソレータ（７）および前記こはぜつめ（１）の特定の相対位置で、前記突出ピン（６１）が前記こはぜつめ（１）から逃げて、前記ビーク（５１）を前記３１角穴車（３１）から外すことを可能にするように配置されたカットアウト（８７）を備え、
前記第１のアイソレータ（３）は、旋回軸（６３）周りに旋回可能に取り付けられる
ことを特徴とする日付機構（１００）。
【請求項２】
前記フィーラ・スピンドルつめ（５３）を備えており、前記第１のアイソレータ（３）はさらに、旋回軸（７３）上でその１つのアーム（４３）にヒンジ付けされた状態で、前記第２のカム（２９）に対して実質的に接線方向に旋回し、前記旋回軸（７３）からある距離に、前記第１のピン（６）を備えた緩く取り付けられたレバー（５）を担持していることを特徴とし、さらに、前記第２のアイソレータ（７）は、前記ムーブメント（２００）、または前記時計（１０００）、または前記機構（１００）のプレートまたは受に含まれる旋回軸（５７）上に旋回可能に取り付けられており、月の最後の日に、前記第２のアイソレータ（７）が旋回し、前記第２のカム（２９）の前記３１つめ（２９Ａ）は、前記レバー（５）および前記第１のピン（６）を外側に押し戻し、また前記第２のアイソレータ（７）の前記第１のアーム（７７）を押し戻す傾向があることを特徴とする、請求項１に記載の日付機構（１００）。
【請求項３】
前記第２のアイソレータ（７）の前記第２のアーム（６７）は、前記突出ピン（６１）に対して軸受表面を形成するように配置された、前記旋回軸（Ｄ）と反対側に外部軸受表面（９７）を備えていることを特徴とする、請求項１に記載の日付機構（１００）。
【請求項４】
前記第２のアイソレータ（７）の前記第１のアーム（７７）は、前記第１のピン（６）に対して止め部材を形成するように配置されていることを特徴とする、請求項１に記載の日付機構（１００）。
【請求項５】
前記日付機構は、前記ムーブメント（２００）の、または前記時計（１０００）または前記機構（１００）のプレートまたは受に含まれる旋回軸（６１２）に旋回可能に取り付けられた制御レバー（１２）を備えており、前記制御レバー（１２）は、駆動要素（６１２）を介して前記日付表示手段（４１２）を駆動するように前記制御レバー（１２）を旋回させる、前記第１の３１ねじカム（４）にしたがうように配置されたフィーラ・スピンドル（５１２）を備えており、前記制御レバー（１２）はさらに、こはぜ旋回軸（７１２）に旋回可能に取り付けられたフック（８）を備え、各月の終わりに前記万年１２カム（９）の駆動を保証するように配置されていることを特徴とする、請求項１に記載の日付機構。
【請求項６】
前記万年レバー（２）を瞬時に旋回させるように配置された瞬時機構（９２）の、深夜の、急激な毎日の動作による、瞬時の日付機構である請求項１に記載の日付機構（１００）。
【請求項７】
前記瞬時機構（９２）は、それぞれ前記レバーを瞬時に旋回させるように、前記万年レバー（２）に含まれるフィーラ・スピンドルつめ（２２）と相互作用するように配置された、複数のピン（３２１）を担持する香箱（３２）を備えていることを特徴とする、請求項６に記載の日付機構（１００）。
【請求項８】
前記機構（１００）は、通常の年またはうるう年、および／または普通の世紀末の年に対して、２月の月の継続期間を調節する機構を備えていることを特徴とする、請求項１から７のいずれかに記載の日付機構（１００）。
【請求項９】
ムーブメント（２００）を備え、請求項１に記載の日付機構（１００）を備えた時計（１０００）であって、前記ムーブメント（２００）は、一日に一回、前記日付機構（１００）に含まれる万年レバー（２）の旋回移動を作動させるように配置されていることを特徴とする時計（１０００）。
【発明の詳細な説明】
【技術分野】
【０００１】
本発明は、日付機構に含まれる万年レバーの旋回移動を一日に一回、作動させるように配置されたムーブメントを備えた時計用日付機構に関し、前記機構は、各月の継続時間によって異なる径寸法の連続した月用の１２個のセクタを含み、一年に１回転を完了する万年１２カムを駆動する手段を備えている。
【０００２】
本発明はまた、ムーブメントを含み、このタイプの日付機構を含む時計に関する。
【０００３】
本発明は、時計学の分野に関し、さらに詳細には、日付機構を含む時計の分野に関する。
【背景技術】
【０００４】
ほとんどの従来の日付時計が、Ｆｒａｎｃｏｉｓ  Ｌｅｃｏｕｌｔｒｅによる、ビエンヌ（スイス）のＥｄｉｔｉｏｎｓ  Ｈｏｒｌｏｇｅｒｅｓによって編集された「Ｌｅｓ  ｍｏｎｔｒｅｓ  ｃｏｍｐｌｉｑｕｅｅｓ」（複雑な腕時計）というタイトルの文献に特に記載されている。
【０００５】
瞬時日付機構では、一週間の日、一年の月、および日に対する星車は全て、プレートに対して、または時計ムーブメントの受に旋回可能に取り付けられた万年レバーによって作動され、前記万年レバーに含まれるビークおよび２つのこはぜの動作によって、正確な瞬間に急激な動作で日が変わる場合にその日付変更機能を達成する。この急激な変更は、深夜あたりに行なわれる。
【０００６】
この万年レバーは、ばねによって静止位置までに戻され、ここで、そのビークの１つは毎年１回転を完了する１２個の歯を備えた月星車によって担持される、月カムの第１のセクタに当接する。この月カムの半径は、より大きいまたは小さい深さのノッチの形、またはより大きいまたは小さい延長部の突出部分の形のいずれかで、当該月の日数を示している。
【０００７】
この万年レバーは、ムーブメントに連結され、２４時間で１回転を完了する車によって急激に旋回され、前記車はばねによって戻される旋回部に取り付けられたローラに対してハート片用の駆動ピンを担持している。ハート片が点を通過すると、これは万年レバーのビークを駆動する指数の急激な移動を開始する。
【０００８】
その旋回移動中、万年レバーは、月の間に起こる場合は、その移動の端部で月カムに当接するように、または同じ位置に戻るために、または前記カムが日付の変更の際に作動される場合に旋回された場合に、前記月カムの第１のセクタの隣にセクタに当接するために、前記月カムから離れるように移動する。
【０００９】
万年レバーの別のビークは、週星車の日の旋回を制御する。日の順序が万年であるので、特定の機構は必要ない。というのは、１ステップだけこの星車の位置を増加させるのに十分であるからである。
【００１０】
３１個の歯を備えた３１星車の旋回は、万年レバーに旋回可能に取り付けられ、その旋回は前記レバーに固定されたピンによって限られる、第１の３１こはぜを介して達成される。この３１星車は、第１のカムおよび第２のカムと一体的に旋回し、この両方ともねじである。
【００１１】
第１のねじカムは、ばねによって前記第１のカムに向かって戻される、旋回月レバーに含まれる第１のフィーラ・スピンドルと協働するように配置されている。この第１のカムの機能は、月レバーを適当な時間に降下させることである。月レバーは、この目的で、第１のフィーラ・スピンドルの反対側に、１２個の歯を備えた月星車と協働し、第１のフィーラ・スピンドルがねじの大きな半径から小さな半径に降下する場合に、１個の歯によって前記月星車を押すように配置された第２のフィーラ・スピンドルを備えている。
【００１２】
第２のねじは、単純なキャッチを備えており、これに対して万年レバーによって担持される月構成こはぜの端部と呼ばれる第２のこはぜが動作し、これはばねを介してその上に当接し、この第２のこはぜは、３１日を有していない月に対する効果を有するだけである。
【００１３】
２８日の２月の終わりに、万年レバーのビークは月カムの最も深い切欠き内にあり、月の２７日から２８日までの変更の間に、第２のこはぜは第２のねじカムのキャッチに係合している。万年レバーの特定の調節により、第２のこはぜは、万年レバーが月の２８日の深夜あたりで飛ぶ場合に、３１星車の４個の歯を共に駆動することが可能になる。同時に、第１のねじカムはこの場合、３月である次の月に対するセクタまで通過するように、月星車、したがって月カムを駆動する月レバーの旋回を作動させる。したがって、万年レバーは、３月の月の間に新しい静止位置をとり、この位置は、第２のこはぜの降下が４日だけ遅らされるようになっている。したがって、３月２８日から４月１日まで、この第２のこはぜは、一度に３１星車の１個の歯を駆動するだけである。
【００１４】
同様に、３０日の月用の月カムの切欠きは、第２のこはぜが月の３０日の夜に３１星車の２個の歯を駆動するように配置されている。
【００１５】
同様に、うるう年の２９日ある２月の月用の月カムの切欠きは、第２のこはぜが月の２９日の夜に３１星車の３個の歯を駆動するように配置されている。
【００１６】
このように試行および試験されたシステムは、瞬時万年日付機構の適切な動作を保証するのに２つのこはぜを必要とする。針を調節することは難しい。この配置は、衝撃または不適切な動作に関連するあらゆる外乱に対して弱く、部品の位置が失われた場合に、工場に戻されなければならない。
【００１７】
ＤＵＢＯＩＳ  ＆  ＤＥＰＲＡＺ  ＳＡ名義のスイス特許出願第６６０４４０Ａ３号は、ムーブメントによって押される大きなレバーを備え、５本のつめおよびこはぜを備えた万年日付機構を開示している。このこはぜは、３１日車に固定されたねじカムの周面に当接する。前記車は、４８月車と協働することが可能な作動つめを担持している。レバーの一端部によって形成される第１のつめは、２４時間車によって担持されるピンによって駆動することができる、作動つめの経路上に配置されている。この作動つめは、前記万年日付機構を作動させる、カムを形成する凸状背面部を担持している。うるう年では、第２のつめが、うるう年カムに含まれるレバーと接触するように入る。第３のつめは、１２月カムと協働する。駆動ビークを形成する第４のつめは、ねじカムを担持している３１日車の歯と協働し、前記第４のつめは毎日作動し、レバーによって担持されるこはぜは月の終わりにのみ作動する。第２の駆動ビークを形成する第５のつめは、７日星車と協働する。このような構成により、１回の飛びがある日（１日から２７日まで）、または数回の飛びがある日（２８日から３１日まで）に起こるかどうかによって、寸断は異なる。
【００１８】
したがって、トルクは不規則に使用され、機構の挙動は現在の月の継続期間によって異なる。
【先行技術文献】
【特許文献】
【００１９】
【特許文献１】スイス特許出願第６６０４４０Ａ３号
【非特許文献】
【００２０】
【非特許文献１】Ｆｒａｎｃｏｉｓ  Ｌｅｃｏｕｌｔｒｅによる、ビエンヌ（スイス）のＥｄｉｔｉｏｎｓ  Ｈｏｒｌｏｇｅｒｅｓによって編集された「Ｌｅｓ  ｍｏｎｔｒｅｓ  ｃｏｍｐｌｉｑｕｅｅｓ」（複雑な腕時計）
【発明の概要】
【発明が解決しようとする課題】
【００２１】
本発明は、これらの２つのこはぜの使用を避けることを提示している。
【課題を解決するための手段】
【００２２】
実際、このタイプの２つのこはぜおよびそのばねを備えた万年レバーは、正確な停止のために望ましくない、かなりの慣性を有する。互いに対するこれら２つのこはぜの調節はさらに、かなり繊細であり、特にユーザが深夜あたりに時計を操作する場合に、時計が受ける可能性がある衝撃およびあらゆる不適切な操作に敏感である。
【００２３】
このような慣性の問題は、逆行日付機構の場合に顕著であり、ここで既に制限するのが難しい逆戻りの問題が、かなりの慣性の場合に増幅される。
【００２４】
本発明はまた、特にこの機構を複雑性によってあまり密集していない腕時計の周辺領域に配置することができるように、知られている機構より時計内に配置するのが容易である日付機構を開発することを提示している。
【００２５】
本発明はしたがって、日付機構に含まれる万年レバーの旋回移動を一日に一回、作動させるように配置されたムーブメントを備えた時計用日付機構であって、前記機構は、各月の継続時間によって異なる径寸法の連続した月用の１２個のセクタを含み、一年に１回転を完了する万年１２カムを駆動する手段を備えている日付機構であって、前記機構は単一のこはぜを有し、前記万年レバーにヒンジ付けされ、日付表示手段を直接的または間接的に制御する第１の３１ねじカムの旋回軸周りで一体的に旋回する３１角穴車に含まれる歯と直接的に協働するように配置された単一のこはぜつめと、現在の月および月の現在の日にしたがって前記こはぜつめと前記車の間の協働の継続期間を調節し、作動される前記車の歯の数を毎日判断するように配置されたカウントダウン機構の位置を判断する第２のカムとを備えており、前記カウントダウン機構は、前記万年１２カム上の現在の月の継続期間を測定し、中に含まれるピンの位置によって、前記こはぜつめのビークと前記３１角穴車の間の協働を許可する、或はこれを制限する、もしくはこれを防ぐことを特徴とする、日付機構に関する。
【００２６】
本発明の一特性によると、前記カウントダウン機構は、旋回軸周りに旋回可能に取り付けられ、前記万年１２カム上の現在の月の継続期間を測定するためのフィーラ・スピンドルつめを備え、また旋回軸上でその１つのアームにヒンジ付された状態で、前記第２のカムにほぼ接線方向に旋回し、前記旋回軸からある距離で、前記３１車の前記旋回軸の側部で前記第２のカムと、前記軸と反対側で、前記ムーブメント、または前記時計、または前記機構のプレートまたは受に含まれる旋回軸上に旋回可能に取り付けられた第２のアイソレータの第１のアームと協働するように配置されたピンを備えた、緩く取り付けられたレバーを担持する第１のアイソレータを備えており、前記第２のアイソレータは、その位置によって、前記車との前記こはぜつめの前記ビークの協働を許可する、制限する、または防ぐように配置された第２のアームを備えている。
【００２７】
本発明の別の特性によると、前記第２のアイソレータの前記第２のアームは、前記ビークを前記車から外すように、前記こはぜつめから前記ピンが逃げることを可能にするように配置されたカットアウトを備えている。
【００２８】
本発明の別の特性によると、前記第２のアイソレータの前記第２のアームは、前記ピンに対する軸受表面を形成するように配置された、前記旋回軸と反対側に外部軸受表面を備えている。
【００２９】
本発明の別の特性によると、前記第２のアイソレータの前記第１のアームは、前記ピンに対する止め部材を形成するように配置されている。
【００３０】
本発明のさらに別の特性によると、前記日付機構は、前記ムーブメントの、または前記時計または前記機構のプレートまたは受に含まれる旋回軸上に旋回可能に取り付けられた制御レバーを備えており、前記制御レバーは、駆動要素を介して前記日付表示手段を駆動するように前記制御レバーを旋回させる、前記第１のカムにしたがうように配置されたフィーラ・スピンドルを備えており、前記制御レバーはさらに、こはぜ旋回軸に旋回可能に取り付けられた状態で、各月の終わりに前記万年１２カムの駆動を保証するように配置されたフックを備えている。
【００３１】
本発明のさらに別の特性によると、前記日付機構は、前記万年レバーを瞬時に旋回させるように配置された瞬時機構の、深夜の、急激な毎日の動作による、瞬間日付機構である。
【００３２】
本発明のさらに別の特徴によると、前記瞬間機構は、前記レバーを瞬時に旋回させるように、前記万年レバー内に含まれるフィーラ・スピンドルつめと相互作用するようにそれぞれ配置された複数のピンを担持する、香箱を備えている。
【００３３】
本発明はさらに、ムーブメントを備え、このタイプの日付機構を含む時計であって、前記ムーブメントが、一日に一回、前記日付機構に含まれる万年レバーの旋回移動を作動させるように配置されていることを特徴とする時計に関する。
【００３４】
機構は、レバーが落ちた場合に作動し、上昇した場合には作動しない。レバーが落ちるときのこのような動作により、瞬時動作が可能になる。レバーは、特に通過させる日が数日ある場合にゆっくり上昇し、ばねの動作による戻りの間に瞬時に動作する。単一のこはぜは、日付を調節するのに必要な数の歯を駆動する。レバーは、日を直接飛ばさないが、前記飛びを行なうばねを巻き、したがって、本発明は機構によって使用されるトルクのレベルを規則化する。
【００３５】
本発明の他の特性および利点は、添付の図面を参照して、以下の詳細な説明を読めば明らかになるであろう。
【図面の簡単な説明】
【００３６】
【図１】本発明による日付機構を備えた、腕時計によって形成された時計の、上部側と呼ばれる、第１の側部の部分略平面図であり、万年レバーの毎日の旋回の瞬時作動用機構と、カウントダウン機構と、日付表示手段の間の運動学を示している。
【図２】図１と同様の、同じ時計の底部側と呼ばれる、第２の側部の図である。
【図３】カウントダウン機構の主な構成部品の旋回軸および角度間隙の幾何配置の略平面図である。
【図４】前記カウントダウン機構に含まれる、その旋回軸を通過する断面で見た、車セットの部分略図であり、第１および第２のアイソレータと、前記カウントダウン機構に含まれ、図１の万年レバーにヒンジ付けされたつめとのその協働を示している。
【図５】前記つめと、前記第２のアイソレータと、前記車セットに含まれた３１車との間の協働の詳細の部分略斜視図である。
【図６】本発明による日付機構の部分略底面斜視図である。
【図７】本発明による日付機構の部分略上面斜視図である。
【図８】中に含まれたカットアウトに近接した、つめと第２のアイソレータの間の協働の詳細の部分略斜視図である。
【図９】時計およびその日付機構を単純ブロック図の形で示した図である。
【図１０】カウントダウン機構の動作を示す、特定の日付で選択した、本発明による日付機構の運動学のステップを示している。１１月３０日の静止位置での機構の底面図、上面図、および上面斜視図である。
【図１１】カウントダウン機構の動作を示す、特定の日付で選択した、本発明による日付機構の運動学のステップを示している。１１月３０日の静止位置での機構の底面図、上面図、および上面斜視図である。
【図１２】カウントダウン機構の動作を示す、特定の日付で選択した、本発明による日付機構の運動学のステップを示している。１１月３０日の静止位置での機構の底面図、上面図、および上面斜視図である。
【図１３】カウントダウン機構の動作を示す、特定の日付で選択した、本発明による日付機構の運動学のステップを示している。１１月３０日の、第２のアイソレータのカットアウト内へのつめの通過前の、動作中の機構の底面図、上面図、および上面斜視図である。
【図１４】カウントダウン機構の動作を示す、特定の日付で選択した、本発明による日付機構の運動学のステップを示している。１１月３０日の、第２のアイソレータのカットアウト内へのつめの通過前の、動作中の機構の底面図、上面図、および上面斜視図である。
【図１５】カウントダウン機構の動作を示す、特定の日付で選択した、本発明による日付機構の運動学のステップを示している。１１月３０日の、第２のアイソレータのカットアウト内へのつめの通過前の、動作中の機構の底面図、上面図、および上面斜視図である。
【図１６】カウントダウン機構の動作を示す、特定の日付で選択した、本発明による日付機構の運動学のステップを示している。１１月３０日の、第２のアイソレータのカットアウト内につめが通過するときの、動作中の機構の底面図、上面図、および上面斜視図である。
【図１７】カウントダウン機構の動作を示す、特定の日付で選択した、本発明による日付機構の運動学のステップを示している。１１月３０日の、第２のアイソレータのカットアウト内につめが通過するときの、動作中の機構の底面図、上面図、および上面斜視図である。
【図１８】カウントダウン機構の動作を示す、特定の日付で選択した、本発明による日付機構の運動学のステップを示している。１１月３０日の、第２のアイソレータのカットアウト内につめが通過するときの、動作中の機構の底面図、上面図、および上面斜視図である。
【図１９】カウントダウン機構の動作を示す、特定の日付で選択した、本発明による日付機構の運動学のステップを示している。１２月３１日の、第２のアイソレータのカットアウト内につめが通過するときの、動作中の機構の底面図、上面図、および上面斜視図である。
【図２０】カウントダウン機構の動作を示す、特定の日付で選択した、本発明による日付機構の運動学のステップを示している。１２月３１日の、第２のアイソレータのカットアウト内につめが通過するときの、動作中の機構の底面図、上面図、および上面斜視図である。
【図２１】カウントダウン機構の動作を示す、特定の日付で選択した、本発明による日付機構の運動学のステップを示している。１２月３１日の、第２のアイソレータのカットアウト内につめが通過するときの、動作中の機構の底面図、上面図、および上面斜視図である。
【図２２】カウントダウン機構の動作を示す、特定の日付で選択した、本発明による日付機構の運動学のステップを示している。１２月１日の、最大に巻かれた、動作中の機構の底面図、上面図、および上面斜視図である。
【図２３】カウントダウン機構の動作を示す、特定の日付で選択した、本発明による日付機構の運動学のステップを示している。１２月１日の、最大に巻かれた、動作中の機構の底面図、上面図、および上面斜視図である。
【図２４】カウントダウン機構の動作を示す、特定の日付で選択した、本発明による日付機構の運動学のステップを示している。１２月１日の、最大に巻かれた、動作中の機構の底面図、上面図、および上面斜視図である。
【図２５】カウントダウン機構の動作を示す、特定の日付で選択した、本発明による日付機構の運動学のステップを示している。つめがその間カットアウトを通過することができない、１２月１日から２日まで日付が変更されるときの、動作中の機構の底面図、上面図、および上面斜視図である。
【図２６】カウントダウン機構の動作を示す、特定の日付で選択した、本発明による日付機構の運動学のステップを示している。つめがその間カットアウトを通過することができない、１２月１日から２日まで日付が変更されるときの、動作中の機構の底面図、上面図、および上面斜視図である。
【図２７】カウントダウン機構の動作を示す、特定の日付で選択した、本発明による日付機構の運動学のステップを示している。つめがその間カットアウトを通過することができない、１２月１日から２日まで日付が変更されるときの、動作中の機構の底面図、上面図、および上面斜視図である。
【発明を実施するための形態】
【００３７】
本発明は、特にこの機構を複雑性によってあまり密集していない腕時計の周辺領域に配置することができるように、知られている機構より時計内に配置するのが容易である日付機構を提示している。
【００３８】
本発明をここでは、瞬時逆行日付機構の特定の場合に対して説明しているが、あらゆる瞬時日付機構に適用することができる。
【００３９】
本発明は、ムーブメント２００を備えた、時計１０００用の日付機構１００に関する。
【００４０】
この日付機構１００は、様々なアイソレータおよびレバーを備えており、そのうちここに示した形は単に例示的なものであり、時計に含まれる他の複雑性によって、および干渉を避ける必要によって基本的に与えられ、その結果、実際の機能で必要とするものより複雑な形態につながる可能性がある。
【００４１】
同様に、本発明はあらゆる所望の周期性に適合させることができることを理解すべきである。当業者は、ここで詳細に説明された毎日の周期性を他の期間にどのように移すかを知っている。同様に、本発明を特定のカレンダーに使用して、２８から３１日の毎年１２か月を有する本明細書に記載された制御部材を、異なる数の期間および異なる継続期間の振幅を有する他の制御部材と置き換えることができる。
【００４２】
ムーブメント２００は、一日に一回、日付機構１００に含まれる、万年レバー２の旋回移動を作動させるように配置されている。
【００４３】
この機構１００は、各月の継続期間によって異なる半径サイズの、連続した月の１２のセクタを備え、毎年１回転を完了する、万年１２カム９を駆動する手段を備えている。
【００４４】
好ましい実施形態では、図に示すように、通常の年またはうるう年に対して、または別の変更形態では、加えて普通の世紀末の年に対して、２月の月の継続期間を調節する機構を備えている。
【００４５】
本発明によると、機構１００は単一のこはぜを有し、万年レバー２にヒンジ付けされ、第１の日付カムの旋回軸Ｄ周りで一体的に旋回する３１角穴車３１の歯と直接協働するように配置された単一のこはぜつめ１と、カウントダウン機構３００の位置を判断する第２のカム２９とを備えている。カウントダウン機構は、現在の月および月の現在の日にしたがって、こはぜつめ１と３１角穴車３１の間の協働の継続期間を調節し、作動される３１角穴車３１の歯の数を毎日判断するように配置されている。カウントダウン機構３００は、万年１２カム９上の現在の月の継続時間を測定し、中に含まれるピン６の位置によって、３１角穴車３１とのこはぜつめ１内に含まれたビーク５１の協働を許可する、制限する、または防ぐ。
【００４６】
単一のこはぜつめ１は、万年レバー２の一端部で旋回軸６２にヒンジ付けされており、第１の３１ねじカム４、および径方向つめ２９Ａを備えた第２のカム２９の旋回軸Ｄ周りで一体的に旋回している、３１角穴車３１に含まれた歯と協働するように配置されている。こはぜつめ１は、一方の旋回軸６２と、もう一方のビーク５１の間で屈曲していることが好ましい。
【００４７】
この第１のカム４は、日付表示手段４１２を直接的にまたは間接的に制御するように配置されている。
【００４８】
機構１００はさらに、作動させる車３１の歯の数を毎日判断するために、第２のカム２９の位置でその位置が判断され、現在の月および月の現在の日にしたがってこはぜつめ１と車３１の間の協働の継続期間を調節するように配置されたカウントダウン機構３００を備えている。
【００４９】
本発明によると、機構１００は、瞬時に万年レバー２を旋回させるように配置された瞬時機構９２の、深夜の、急激な毎日の動作による瞬時日付機構である。
【００５０】
したがって、この日付機構１００は、時計１０００のプレートまたは受に対して軸７２上で旋回され、ムーブメント２００によって一日に一回急激に旋回される、万年レバー２を備えている。
【００５１】
図示しない従来の方法では、この万年レバー２は、一日に一回レバーを旋回させる２４時間車のつめと協働することができ、そのアームの１つはその後、週の日の表示のために、ジャンパばねによって位置決めされた７星車を作動させることができる。
【００５２】
しかし、本発明によると、瞬時機構９２は、前記レバーを瞬時に旋回させるように、万年レバー２に含まれるフィーラ・スピンドルつめ２２とそれぞれ相互作用するように配置された、複数のピン３２１を担持する香箱３２を備えていることが好ましい。
【００５３】
したがって、万年レバー２は、前記レバーを瞬時に旋回させるように、万年レバー２のフィーラ・スピンドルつめ２２と相互作用する、ピン３２１を担持する、香箱３２との瞬時機構９２の動作によって、毎日深夜に旋回する。したがって、本発明は通常、日付時計内の日付の変更に専念させられ、その間、他の操作を行なうことは推奨されない、または禁止されている、２２時から２４時までの期間を解放する。
【００５４】
こはぜつめ１だけが、車３１と協働して、万年日付機構を作動させる機能を遂行する。
【００５５】
このこはぜつめ１は、万年レバー２の毎日の旋回の間に、連続非逆行回転しており、３１カムと呼ばれる第１のねじカム４、および第１の半径Ｒ３を超えて突出して、Ｒ３より大きな第２の半径Ｒ４を有する３１つめ２９Ａと呼ばれる径方向つめ２９Ａを備えた第２のカム２９に、旋回軸Ｄ周りで旋回可能に一体的に連結された、いわゆる３１角穴車３１と協働するように配置されている。こはぜつめ１は、ばね４１によって旋回軸Ｄに向かって戻される。
【００５６】
本発明によると、この３１車は、連続非逆行回転しており、これはなぜ本発明を逆行または非逆行日付機構に使用することができるかを説明している。逆行表示では、図に示すように、この機能は３１車の下流側で行なわれる。
【００５７】
毎日、こはぜつめ１は、月の２８日まで、ビーク５１を介して１ステップだけ車３１を旋回させる。月の終わりに、表示される現在の月によって修正は可変であり、こはぜつめ１は車３１のより多いまたは少ない歯を駆動させる。このこはぜつめ１は、その旋回軸６２とビーク５１の間で屈曲され、実質的に屈曲部に配置された突出ピン６１を備えている。
【００５８】
前記第２のアイソレータ７の第２のアーム６７は、前記第２のアイソレータ７および前記こはぜつめ１に対して特定の位置で、前記ピン６１が前記こはぜつめ１から逃げて、前記ビーク５１を前記車３１から外すことを可能にするように配置されたカットアウト８７を備えている。
【００５９】
万年レバー２が２４時間車のつめによって駆動されない場合、ばねによって静止位置まで戻される。
【００６０】
万年１２カムは、これ以下に説明するように、日付機構１００自体によって駆動され、一年に１回転を完了する。
【００６１】
このカム９は、４個の歯を備えた車５９、および１２個の歯を備えた角穴車６９と同軸である。カム９は、マルタ十字または同様のものなどの、うるう年カム７９を担持し、その旋回は４個の歯を備えた車５９によって制御される。カム９および車５９によって形成されたアセンブリは、月表示インジケータを担持または駆動する。
【００６２】
本発明によると、カウントダウン機構３００は、旋回軸６３周りに旋回可能に取り付けられた第１のアイソレータ３を備えており、万年１２カム９上の現在の月の継続期間を測定するためのフィーラ・スピンドルつめ５３を備えている。
【００６３】
第１のアイソレータ３はまた、ピン６を直接的にまたは間接的に担持する。図に示すように、第１のアイソレータ３はまた、旋回軸７３上でその１つのアーム４３にヒンジ付けされたレバー５を担持することが好ましい。このレバー５は、第２のカム２９に実質的に接線方向に緩く取り付けられ、旋回し、旋回軸７３からある距離で、車３１の旋回軸Ｄの側で第２のカム２９と、軸Ｄの反対側で、第２のアイソレータ７の第１のアーム７７と協働するように配置された前記ピン６を担持する。
【００６４】
この第２のアイソレータ７は、ムーブメント２００の、または時計１０００または機構１００のプレートまたは受に含まれる旋回軸５７に旋回可能に取り付けられている。
【００６５】
この第２のアイソレータ７は、その位置にしたがって、車３１とのこはぜつめ１のビーク５１の協働を許可する、制限する、または防ぐように配置された第２のアーム６７を備えている。
【００６６】
本発明によると、機構１００はさらに、ムーブメント２００の、または時計１０００のプレートまたは受に対して旋回軸６３上に旋回可能に取り付けられた、第１のアイソレータ３を備えている。
【００６７】
ここではほぼＹ字形であるこの第１のアイソレータ３は、いくつかのアームを備えており、その１つは万年１２カム９の周面上で月情報を収集するためにフィーラ・スピンドル５３を担持し、これにより所定の角度位置をとることが可能になる。第１のアイソレータには、カム９の上にフィーラ・スピンドル５３を永久的に押す傾向があるトルクを加える、ばね１３の動作が加えられる。
【００６８】
メイン・アーム８３は、車３１の旋回軸Ｄと万年レバー２の間でこはぜつめ１および車３１に近接して配置されており、フィーラ・スピンドル５３によって行なわれる読み取りにより、このメイン・アームはこはぜつめ１および車３１に対して特定の角度に位置決めされる。
【００６９】
外部アーム４３は、このメイン・アーム８３に連結され、また車３１の旋回軸Ｄと万年レバー２の間に置かれ、メイン・アーム８３と反対の端部で、レバー５をヒンジ付けするための旋回軸７３を担持する。このレバー５は、前記旋回軸７３と反対の端部でピン６を担持している。
【００７０】
このピン６は、メイン・アーム８３に対するレバー５の角度旋回進行を制限するように配置されており、これで横表面９３と当接して協働することができ、これにより車３１の旋回軸Ｄに向かう限られた移動性をレバー５に許可するだけである。
【００７１】
レバー５のピン６はまた、第２のアイソレータ７に対するレバー５の角度旋回進行を制限するように配置されており、これにより前記ピン６は、前記第２のアイソレータ７の第１のアーム７７と当接して協働することができる。
【００７２】
このピン６はまた、第２のカム２９の軌道に置かれている。
【００７３】
本発明によると、この第２のアイソレータ７は、ムーブメント２００の、または時計１０００のプレートまたは受に対して旋回軸５７上で旋回するように緩く取り付けられている。この旋回軸５７は、カム９の旋回軸と、車３１の旋回軸Ｄと、万年レバー２との間に挿入される。
【００７４】
この第２のアイソレータ７は、第１のアイソレータ３とレバー５の間で旋回軸７３に向かって旋回される第１の７７を備えている。この第１のアーム７７は、第２のアイソレータ７の進行を制限するように、レバー５によって担持されるピン６と軸受表面４７上で当接することができる。
【００７５】
ばね３７は、この第１のアーム７７を、したがって、レバー５を、ピン６を介して旋回軸Ｄに向けて戻す。
【００７６】
外部アーム４３に隣接した第１のアイソレータ３のメイン・アーム８３は、第２のアイソレータ７の第１のアーム７７と同じ側に、ピン６に対する進行制限を形成するように配置されており、前記ピン６は前記第１のアーム７７と当接して協働するように配置されている。
【００７７】
ここでＶ字形であるこの第２のアイソレータ７は、万年レバー２に向かって案内される第２のアーム６７を備えている。この第２のアーム６７は、ピン６１に対する軸受表面を形成するように配置された、旋回軸Ｄと反対側に外部軸受表面９７を備えている。
【００７８】
この第２のアーム６７は、第２のアイソレータ７およびこはぜつめ１の特定の相対位置で、ピン６１をこはぜつめ１から逃がして、ビーク５１を車３１から外すことを可能にするように配置されたカットアウト８７を備えている。
【００７９】
この第２のアーム６７は、第１のアーム７７と反対側で旋回される、外部表面と呼ばれる横軸受表面９７を備えており、その上で、こはぜつめ１のピン６１はこはぜつめ１と第２のアイソレータ７の間で特定の相対位置で当接することができ、こはぜつめ１と第２のアイソレータ７の間の他の相対位置では、前記ピン６１は前記カットアウト８７内で第２のアーム６７の下を通過することができる。
【００８０】
万年１２カム９上でフィーラ・スピンドルつめ５３によって収集された情報によって、メイン・アーム８３は、現在の月が２８日、２９日、３０日または３１日を有するかどうかによって、４つの異なる位置を占めることができる。図に示した特定の実施形態では、車３１の旋回軸Ｄと第２のアイソレータ７の旋回軸５７の間のメイン・アーム８３によって占められる位置は、互いにほぼ平行であり、現在の月における日数に対応する値２８、２９、３０および３１によってのみマーキングされている。
【００８１】
特定の継続期間の月ではメイン・アーム８３は、前記継続時間に対応する位置を占める。
【００８２】
レバー５は、外部アーム４３の端部で旋回するように緩く取り付けられており、その位置は、３１車の旋回軸Ｄの側で、第２のカム２９の周面によって制限され、これにより、第１のアイソレータ３での旋回軸７３と反対の端部で、レバー５に含まれるピン６に対する止め部材が形成される。
【００８３】
このピン６自体は、３１車の旋回軸Ｄに向かってばねによって戻される、第２のアイソレータ７の第１のアーム７７に対する間隙制限を形成する。
【００８４】
第２のアイソレータ７はその後、こはぜつめ１の通過のためにバリアを形成する位置で固定化される。
【００８５】
実際、その第２のアーム６７は、こはぜつめ１と第２のアイソレータ７の相対位置によって、その外部軸受表面９７を介して、または内部表面３７と呼ばれる反対側の軸受表面を介して、前記こはぜつめ１によって担持されるピン６１の通過に耐える傾向がある。この第２のアーム６７の位置は、こはぜつめ１のビーク５１および車３１の間の干渉の可能な範囲を判断する。このような干渉の範囲は、万年レバー２の旋回移動中に、こはぜつめ１が第２のアイソレータ７に沿って摺動する場合にビーク５１が引っ掛かることができる３１車の歯の数を正確に規定する。
【００８６】
外部軸受表面９７に沿ったこはぜつめ１のピン６１の自由通過は、月の最初の２７日間で可能である。というのは、レバー５およびアーム７７は３１車の旋回軸Ｄに最も近く、第２のアーム６７は、こはぜつめ１が３１車に十分近づいて、万年レバー２の移動の影響によって１個の歯だけ前記車をシフトさせるのを防止しないからである。月の最初の２７日間では、ビーク５１は一度に車３１の１個の歯だけを引っ掛けることができる。
【００８７】
月の最後の日の間、第２のアーム６７を通るピン６１の移動は、ピン６１が第２のアーム６７に含まれる反対側のカットアウト８７であり、前記ピン６に向かって旋回される場合に、特定の構成で可能なだけである。ビーク５１に与えられたこのような追加の進行により、月の日、および月カム９によって判断される第１のアイソレータ３の位置によって、車３１のいくつかの歯に引っ掛かることが可能になる。
【００８８】
実際、第１のアイソレータ３のメイン・アーム８３の位置は、レバー５のピン６の位置を判断し、したがって、第２のアイソレータ７の角度止め位置、および第２のアイソレータ７の第２のアーム６７のカットアウト８７内のこはぜつめ１のピン６１の通過が可能にされたウィンドウの間隙を判断する。この間隙により、こはぜつめ１のビーク５１が、３１日の月では１個の歯に、３０日の月では２個の歯に、２９日の月では３個の歯に、および２８日の月では４個の歯に引っ掛かることが可能になる。
【００８９】
本発明によると、機構１００はさらに、ムーブメント２００の、または時計１０００または機構１００のプレートまたは受に対して旋回軸６１２上に旋回可能に取り付けられた、制御レバー１２を備えている。この制御レバー１２は、駆動要素６１２によって日付表示手段４１２を駆動するように制御レバー１２を旋回させる、第１のカム４にしたがうように配置されたフィーラ・スピンドル５１２を備えている。
【００９０】
この制御レバー１２はさらに、こはぜ旋回軸７１２上に旋回可能に取り付けられ、各月の終わりに万年１２カム９の駆動を保証するように配置された、フック８を備えている。
【００９１】
ここではほぼＳ字形であるこのような制御レバー１２は、その中間部分で、一方では、ばね３１２の動作によって第１の３１カム４の輪郭にしたがうように配置されたフィーラ・スピンドル５１２を、もう一方では、旋回軸７１２上で旋回しているフック８を担持する。
【００９２】
３１車によって達成される角度位置によって、したがって、これと一体的である第１のカム４の角度位置によって、フィーラ・スピンドル５１２の径方向延長部の位置は、日付、特に、万年レバー２によって作動されるこはぜつめ１が、前記レバーの戻りばねの動作によってその独自の静止位置に万年レバー２の戻りによって戻された静止位置に戻る前に、前記車の１個または複数個の歯を駆動することによって３１車を旋回するのを終了してすぐの、新しい日付を示している。
【００９３】
制御レバー１２はさらに、瞬時日付表示では、ここでは反対側の旋回軸６１２であり、例えば針または同様のものによる、日付の直接的なまたは間接的な表示のためにピニオン４１２と協働する、歯付セクタ９１２を備えている。
【００９４】
車３１の、したがって、第１のカム４の旋回移動は、１２個の歯を有する角穴６９と協働し、第１のカム４がその最大からその最小直径まで飛んで、角穴６９を１ステップだけ旋回させる場合に、前記角穴を引いて月表示を修正するように配置された、フック８を間接的に駆動する。
【００９５】
万年レバー２はまた、ビーク４２または同様のものを介して、こはぜ４２１によって、または押さえばねによって保持された、週星車４２０の日の旋回を作動させる。この星車４２０は、週表示の日の名称を担持または駆動する。
【００９６】
万年レバー２の、およびこはぜつめ１の静止位置では、そのビーク５１は、図３で分かるように、第２のアイソレータ７の旋回軸５７と同じ側で、万年レバー２の端部で、こはぜつめ１の旋回軸６２の瞬時位置を通過する３１車の旋回軸Ｄから導き出される直線に対して配置されている。この直線は、基準方向ＡＡに対して角度αをなす。
【００９７】
この段階で、こはぜつめ１のピン６１は、第２のアイソレータ７の第２のアーム６７に近接して配置され、万年レバー２、したがってフィーラ・スピンドルつめ１が静止位置にある場合にアイソレータに触ることなく、第２のアイソレータ７のこのような第２のアーム６７の軸受表面に近接している。この第２のアームは、基準方向ＡＡと角度βをなす。
【００９８】
第２のアイソレータの第１のアーム７７は、ばね３７によって３１車の旋回軸Ｄに向かって戻される。レバー５上の第２のカム２９の動作は、第１のアイソレータ３の旋回軸７２に対して、現在の月の最終日に、前記レバーを旋回させる傾向がある。
【００９９】
この第１のアイソレータ３の角度位置は、所与の月の中間に固定される。というのは、この第１のアイソレータ３が月カム９上でフィーラ・スピンドル５３を介してその位置をとるからである。一年全体を通して、この旋回軸７３の位置はしたがって、図３から分かるように、現在の月、および図３で見られる旋回位置７３Ａ、７３Ｂ、７３Ｃ、７３Ｄに対応する、フィーラ・スピンドル５３によって行なわれる読み取りにしたがって、角度位置θ２８、θ２９、θ３０、θ３１をとることによって、旋回軸６３上にセンタリングされた、一定の半径Ｒ０の円の上を移動する。
【０１００】
レバー５のピン６の位置は、旋回軸７３上でセンタリングされ、旋回軸７３からの一定の中心距離に対応する半径Ｒ１の円の上に置かれている。
【０１０１】
ピン６は、その径方向位置が小さな半径Ｒ３と大きな半径Ｒ４の間で移動する、第２のカム２９の周面に当接する。
【０１０２】
したがって、第２のカム２９の位置によって、ピン６の位置は２８日の月では位置６Ａ３と６Ａ４の間で、２９日の月では位置６Ｂ３と６Ｂ４の間で、３０日の月では位置６Ｃ３と６Ｃ４の間で、３１日の月では位置６Ｄ３と６Ｄ４の間で変わる。
【０１０３】
ピン６上の第２のアイソレータ７の第１のアーム７７の当接はしたがって、図３から分かるように、ピン６のこのような位置、および方向ＡＡと第２のアーム６７がなす角度βによるものであり、これは第２のアイソレータの２つの位置ＸおよびＹ、破線での位置６７Ｘおよび７７Ｘ、および点線および破線での位置６７Ｙおよび７７Ｙを示している。
【０１０４】
図３はまた、静止位置６２Ｒと現在の位置６２の間での、その旋回軸７２に対する半径Ｒ２上での、万年レバー２にこはぜつめ１をヒンジ付けするための旋回軸６２の位置の変更を示している。
【０１０５】
図３は、現在の月が長ければ長いほど、対応する角度θが小さくなり、対応する角度βが小さくなることを示している。
【０１０６】
月の間、月の最後の日の前の日まで、第２のアイソレータ７は、カム２９の第１の半径Ｒ３に近接して押されるままである。
【０１０７】
こはぜつめ１が万年レバー２の旋回によって巻かれる場合、旋回軸６２が旋回軸Ｄから離れるように移動する方向では、第２のアイソレータ７の第２のアーム６７の旋回Ｄの中心と反対側でピン６１は外部軸受表面９７の側にあり、ピン６１は巻回中に旋回軸５７から離れるように移動する。第２のアイソレータ７がカム２９の第１の半径Ｒ３の上に押されたままである間、第２のアーム６７のカットアウト８７は移動しない。したがって、万年レバー２が戻ると、ピン６１は外部軸受表面９７によってさらに案内され、前記表面上で摺動し、ビーク５１は到達することができる数の歯だけに引っ掛かることができる。設計によって、このような数の歯は１個の歯だけである。
【０１０８】
しかし、月の最後の日に、第２のアイソレータ７は旋回する。というのは、カム２９のつめ２９Ａはレバー５およびピン６を外側に押し戻し、したがってまた、旋回軸Ｄに対してその最もオフセンタ位置をとる第２のアイソレータ７の第１のアーム７７を押し戻す、すなわち、月によって、ピン６は６Ｄ３から６Ｄ４までの変更の間の第２のアイソレータ７の位置、およびその後に、より値βＸからより低い値βＹまで変更する方向ＡＡとの第２のアーム６７の角度を示す、図３の位置６Ａ４、６Ｂ４、６Ｃ４、６Ｄ４の１つを占めるように移動する。この第２のアームはその後、持ち上げられる。したがって、ピン６１でのカットアウト８７内へ通過し、したがって、月の変更を開始するのに十分な時間、つめ２９Ａの上に各月に１日だけがある。
【０１０９】
第２のアーム６７の異なる角度により、ピン６１はもはやアームに並んで前進しないが、ビーク５１が車３１の歯の１つから離れる前にカットアウト８７を通過する。したがって、ビーク５１は、万年レバー２が巻回を完了した場合に、第１のアイソレータのメイン・アーム８３に当接する。ピン６１はその後、その位置を求めるために、第２のアーム６７のもう一方側まで通過する。現在の月にしたがって第１のアイソレータ３の移動によって生じる、旋回軸７３がどれだけ離れているかによって、ビーク５１によって引っ掛けられる歯の数は変わり、したがって、２個、３個、または４個である可能性がある。
【０１１０】
歯が駆動された後で、車３１およびカム４の接合旋回の後に、フィーラ・スピンドル５１２は最大から最小直径までカム４のねじの上に降下し、逆行移動、ラック９１２の戻りを開始し、日付機構はその後、ピニオン４１２上に、新しい月の第１日目を表示し、フック８は万年１２カム９を駆動して、新しい月を表示し、したがって、フィーラ・スピンドル５３によって行なわれる新しい読み取りにしたがって、第１のアイソレータ３の角度位置を変更する。
【０１１１】
図１０から図２７は、第２のアイソレータのこはぜつめ１、およびカム４および２９のそれぞれの位置を示す、特定の日のカウントダウン機構３００の動作を示している。
【０１１２】
図１０、１１、１２は、１１月３０日の静止位置にある機構３００を示している。フィーラ・スピンドル５３は、カム９の３０日月レベル上にある。旋回軸７３はその後、図３の位置７３Ｃにある。フィーラ・スピンドル５１２は、カム４の最大半径に近い。１１月３０日は、１１月の月の最後の日であり、したがって、カム２９のつめ２９Ａはレバー５、図３の位置６Ｃ３から位置６Ｃ４まで変更するそのピン６、したがって、図３の角度βＹによって旋回される第２のアイソレータ７の第１のアーム７７を押し戻す。図１２は、さらに軸受表面９７に近接する、およびカットアウト８７に近接するつめ６１を示している。
【０１１３】
図１３、１４、１５は、同じ日、１１月３０日の、第２のアイソレータ７のカットアウト８７内へのつめ６１の通過前の、動作中の機構３００を示している。つめ６１は図では、カットアウト８７に係合している。
【０１１４】
図１６、１７、１８は、同じ日、１１月３０日の、カットアウト８７内へのつめ６１の通過を示している。
【０１１５】
１１月３０日から１２月１日までの日付変更の間、フィーラ・スピンドル５１２は、カム４の最大から最小半径まで降下し、制御レバー１２はその逆行動作を行ない、制御レバーが担持するフック８は、時計１０００が前記車６９の旋回軸に結合させなければならないだけであるこのような表示手段を備えている場合、機構３００の制御および月表示のために両方ともカム９上で、新しい月を表示するように角穴６９を引く。歯付セクタ９１２は、日付表示ピニオン４１２を月の初めに戻す。
【０１１６】
図１９、２０、２１は、１２月３１日につめ６１がカットアウト８７内に通過するときの、動作中の機構３００を示している。図１９は、フィーラ・スピンドル５１が３１日の月に対応して、カム９のより小さい半径のセクタに当接していることを示している。日付変更中、カム９は次のセクタに旋回し、これはまた、１月である３１日の月に対応している。
【０１１７】
図２２、２３、２４は、つめ６１が万年レバー２の移動中にカットアウト８７を通過することができず、軸受表面９７上で摺動することしかできず、つめ６１がその間カットアウト８７を通過することができず、表面９７の上を摺動する１２月１日から２日までのこのような変更を示す、図２５、２６、２７から分かるように、通常の日変更の単一の歯にかかる、通常の日である１２月１日の、最大巻回での動作中の機構を示している。
【０１１８】
本発明はまた、このタイプのムーブメント２００および／または日付機構１００を備えた時計１０００に関する。本発明によると、ムーブメント２００は、一日に一回、この日付機構１００に含まれる万年レバー２の旋回移動を作動させるように配置されている。
【０１１９】
本発明は、飛ばせる日の数を判断するように、単一のこはぜを介して情報を収集する利点を提供する。機構は、レバーが降下する場合に作動し、したがって、瞬時動作の利点を有する。使用されるトルクは、従来技術のマルチこはぜシステムより一定であり、本発明による機構は、単一の飛びの月の初めの日と、いくつかの飛びの月の終わりの日の間で同じように挙動する。
【符号の説明】
【０１２０】
１  こはぜつめ
２  万年レバー
３  第１のアイソレータ
４  第１の３１ねじカム
５  レバー
６  ピン
７  第２のアイソレータ
８  フック
９  万年１２カム
１２  制御レバー
１３  ばね
２２  フィーラ・スピンドルつめ
２９  第２のカム
２９Ａ  径方向つめ
３１  ３１角穴車
３２  香箱
４１  ばね
４３  アーム
４７  軸受表面
５１  ビーク
５９  車
６１  突出ピン
６２  旋回軸
６７  第２のアーム
６９  角穴車
７２  軸
７３  旋回軸
７７  第１のアーム
７９  うるう年カム
８３  メイン・アーム
８７  カットアウト
９２  瞬時機構
１００  日付機構
２００  ムーブメント
３００  カウントダウン機構
３１２  ばね
３２１  ピン
４１２  日付表示手段
５１２  フィーラ・スピンドル
６１２  旋回軸
７１２  こはぜ旋回軸
９１２  歯付セクタ
１０００  時計
Ｄ  旋回軸
Ｒ３  第１の半径
Ｒ４  第２の半径
【図１】
0005537585.tif 000002
【図２】
0005537585.tif 000003
【図３】
0005537585.tif 000004
【図４】
0005537585.tif 000005
【図５】
0005537585.tif 000006
【図６】
0005537585.tif 000007
【図７】
0005537585.tif 000008
【図８】
0005537585.tif 000009
【図９】
0005537585.tif 000010
【図１０】
0005537585.tif 000011
【図１１】
0005537585.tif 000012
【図１２】
0005537585.tif 000013
【図１３】
0005537585.tif 000014
【図１４】
0005537585.tif 000015
【図１５】
0005537585.tif 000016
【図１６】
0005537585.tif 000017
【図１７】
0005537585.tif 000018
【図１８】
0005537585.tif 000019
【図１９】
0005537585.tif 000020
【図２０】
0005537585.tif 000021
【図２１】
0005537585.tif 000022
【図２２】
0005537585.tif 000023
【図２３】
0005537585.tif 000024
【図２４】
0005537585.tif 000025
【図２５】
0005537585.tif 000026
【図２６】
0005537585.tif 000027
【図２７】
0005537585.tif 000028